(57)【要約】本発明は、各々が歯車（１６、１８、２０、２２）と関連した少なくとも２つの針を有するアナログ表示と、歯車（１６、１８、２０、２２）の角位置に関してビーム路（４２、４４、８２）を妨げるための手段によって各針の位置を検出するための光線（４０）を伝送及び受光するための素子を備える光学手段（３２、３４）と、受信された無線時間又はリセット信号に従って針の位置を調節するための各歯車（１６、１８、２０、２２）用の駆動ユニット（８、１０、１２、１４）と、駆動ユニット（８、１０、１２、１４）を制御するためのマイクロコントローラユニット（２）とを備える、無線制御可能な時計に関する。本発明は、無線制御可能な時計の位置を調節するための方法にも関する。
2005529314.tif 000002
【特許請求の範囲】
【請求項１】
各々が歯車（１６、１８、２０、２２）と関連した少なくとも２つの針を有するアナログ表示と、
前記歯車（１６、１８、２０）の角位置に関してビーム路（８２）を妨げるための手段によって各針の位置を検出するための光線（４０）を伝送及び受光するための素子を備える光学手段（３２、３４）と、
受信された無線時間又はリセット信号に従って前記針の位置を調節するための各歯車（１６、１８、２０、２２）用の駆動ユニット（８、１０、１２、１４）と、
前記駆動ユニット（８、１０、１２、１４）を制御するためのマイクロコントローラユニット（２）とを備える、無線制御可能な時計であって、
単一の受光素子（３４）が設けられていることを特徴とする、無線制御可能な時計。
【請求項２】
前記透明な歯車（１６、１８、２０、２２）が不透明なゾーン（８４、８６、８８、９０）を設けられていることを特徴とする、請求項１の無線制御可能な時計。
【請求項３】
前記不透明なゾーン（８４、８６、８８、９０）が前記透明な歯車（１６、１８、２０、２２）に一体化されているか又はその表面に設けられていることを特徴とする、請求項２の無線制御可能な時計。
【請求項４】
前記針の各々が異なる歯車に関連しており、前記歯車の各々が異なる駆動ユニットによって駆動されることを特徴とする、請求項１乃至３のいずれかの無線制御可能な時計。
【請求項５】
前記駆動ユニットがステップモータであることを特徴とする、請求項１乃至４のいずれかの無線制御可能な時計。
【請求項６】
第１ステップにおいて、前記針の１つの位置が、それぞれの歯車（１６、１８、２０、２２）の角位置に関してビーム路を妨げるための手段によって検出され、
第２ステップにおいて、前記針の位置は所定の基準位置に調節され、
最終ステップにおいて、他の針について第１ステップを進める前に前記第１ステップ及び前記第２ステップが１つの針について完了され、受信された無線時間又はリセット信号に従ってすべての針の位置が調節される前にすべての針について前記第１ステップ及び前記第２ステップが完了されることを特徴とする、
請求項１乃至５のいずれかの無線制御可能な時計の位置を調節するための方法。
【発明の詳細な説明】
【技術分野】
【０００１】
本発明は、各々が歯車と関連した少なくとも２つの針を有するアナログ表示と、歯車の角位置に関してビーム路を妨げるための手段によって各針の位置を検出するための光線を伝送及び受光するための素子を備える光学手段と、受信された無線時間又はリセット信号に従って針の位置を調節するための各歯車用の駆動ユニットと、駆動ユニットを制御するためのマイクロコントローラユニットとを備える、無線制御可能な時計に関する。本発明は、本発明による無線制御可能な時計の位置を調節するための方法にも関する。
【背景技術】
【０００２】
従来の時計の中には、無線時間信号を無事に受け取った後に自動的に時間を調節し、関連したアナログ時計の針を正確な時間位置に駆動するためにその信号を復号できる無線制御される時計がある。針の軸を受信した時間信号に従って正確な位置に調節するために、秒針、分針、時針、及び随意的にアラーム針は、システムがリセットされた時はいつでも絶対的な基準位置でスタートしなければならず、それによってマイクロコントローラは、それぞれの回転について各軸についていくつのパルスが生成されなければならないかを計算できる。したがって、基準位置は、時間信号に従って時間を設定する前に決定されなければならない。
【０００３】
アナログ表示の針の位置を検出するために、光学手段が、無線制御可能な時計内で一般的に用いられている。上述の特徴を有するこのような時計は、ＥＰ０１８０８８０で開示されている。この文献は、それぞれのドライブと、歯車と、軸と、光学検出手段とを有する時計の種々の要素の配置を示す。
【特許文献１】欧州特許第０１８０８８０号明細書
【発明の開示】
【発明が解決しようとする課題】
【０００４】
本発明の１つの目的は、より容易かつより安く製造できる、よりシンプルな時計を提供することである。
【０００５】
この目的は、本発明によると、単一の受光素子を有する上述の種類の時計によって達成される。
【０００６】
本発明の実施の形態によると、透明な歯車には不透明なゾーンが設けられている。不透明なゾーンは、たとえば、ＰＣ、ＰＭＭＡ等のような任意の適切なプラスチックで作られた歯車の２成分系モールディング（成形）によって透明な歯車と一体化されていてもよく、あるいは、たとえば接着手段によって歯車に取り付けられた塗装されたか又は黒くされた異なるパッチを提供することによって、不透明なゾーンが透明な歯車の表面に設けられていてもよい。
【０００７】
不透明なゾーンによって、光伝送素子によって伝送され受光素子によって受光された光線は、遮光され得る。したがって、歯車を回すことによって、光線が透明な歯車を通って導かれる位置から光線が不透明なゾーンによって遮光される位置まで歯車は移動され得る。この位置は、かくして、受光素子において受光が妨害されることによって検出され得る。駆動ユニットを駆動するための所定の数のパルスを生成することによって、歯車は、次に、光線が遮光されない所定の基準位置まで移動され得る。他の歯車についてこの処理を繰り返すことによって、すべての針は、そこから受信された時間信号に従って時間の最後の設定が行なわれることが可能である基準位置まで回転されることができる。
【０００８】
針の各々が異なる歯車に関連し、歯車の各々が異なる駆動ユニットによって駆動されている、無線制御可能な時計を提供することによって、すべての針の独立した制御が可能である。
【０００９】
時計の正確な動作を確実にするために、駆動ユニットがステップモータであることが望ましい。
【００１０】
本発明は、第１ステップにおいて、１つの針の位置が、それぞれの歯車の角位置に関してビーム路を妨げるための手段によって検出され、第２ステップにおいて、針の位置は所定の基準位置に調節され、最終ステップにおいて、他の針について第１ステップを進める前に第１ステップ及び第２ステップが１つの針について完了され、受信された無線時間又はリセット信号に従ってすべての針の位置が調節される前にすべての針について第１ステップ及び第２ステップが完了される、無線制御可能な時計の位置を調節するための方法にも関連する。
【発明を実施するための最良の形態】
【００１１】
本発明の方法及び更なる詳細とその実施の形態とは、添付の図を参照した望ましい実施の形態の次の記述により明らかになるだろう。
【００１２】
図１は、無線制御可能な時計の回路設計を示す概略図である。回路設計は、種々の信号をアンテナ４と無線受信手段６とを介して受信するマイクロコントローラユニット２を備える。マイクロコントローラユニット２は、そのアナログ表示の針と関連した時計の駆動軸用の関連した機械的伝達手段１６、１８、２０、２２用の駆動ユニットとして機能する、４つのステップモータ８、１０、１２、１４に接続されている。それぞれのデジタルパルス信号がマイクロコントローラユニット２によって生成されると、それぞれのステップモータ８、１０、１２、１４は起動され、時計のそれぞれの軸と針とを駆動する。
【００１３】
例として、また図１及び２を参照して、ステップモータ８は、軸２４（時計の秒針に接続されている。図示せず）を駆動するための伝達手段としての歯車１６に接続されている。ステップモータ１０、１２及び１４は、それぞれの歯車１８、２０及び２２に接続されている。歯車１８、２０及び２２は、時計の分針、時針、及びアラーム針にそれぞれ接続されている駆動軸２６、２８及び３０に接続されている。
【００１４】
図２をさらに参照すると、本発明による実施の形態は、光伝送素子としての赤外線送信機３２と、受光素子としての赤外線受信機３４とを備える。この実施の形態では、赤外線ビーム４０は、歯車の中心軸８０に平行な主要な下流方向に向いている。歯車１６、１８、２０及び２２は、大部分が透明なＰＣプラスチック材料で作られている。歯車には、赤外線ビーム４０の下流方向８２を特定の角位置で遮光するように配置されている一体化された不透明なゾーン８４、８６、８８及び９０が設けられている。不透明なゾーン８４、８６、８８及び９０は、透明なＰＣ材料内に埋め込まれた黒色の遮光性プラスチック材料から成る。このような歯車は、２成分系モールディングによって製造し得る。
【００１５】
上述の要素を用いると、受信された無線時間又はリセット信号に従って、各針の位置を検出及び調節できる。無線時間又はリセット信号をアンテナ４及び無線受信手段６を介して無事に受信した後に、マイクロコントローラユニット２は歯車１６、１８、２０及び２２を駆動し、それぞれ秒針、分針、時針、及びアラーム針に関連した軸２４、２６、２８及び３０を回転させるためにステップモータ８、１０、１２及び１４用のパルス信号を生成する。しかしながら、軸２４、２６、２８及び３０は、新しい電池に交換された後又はリセットピンを手動で起動させた後に、時計が受信した時間信号に従ってリセットされた時はいつでも、絶対位置においてスタートしなければならない。
【００１６】
図２で示された実施の形態についての時間検出及び調節処理は、次の通りである。一例として、歯車１６はステップモータ８によって駆動され、秒軸２４を回転させる。歯車１６は、赤外線送信機３２によって伝送された赤外線ビーム４０が歯車１６内に設けられた不透明なゾーン８４によって遮光されるまで回転され、かくして、赤外線受信機３４にる赤外線ビーム４０の受光を妨げる。この時には、マイクロコントローラユニット２は歯車１６、したがって軸２４及びそれと関連した秒針の絶対位置を判断するのに適格である。次に、マイクロコントローラユニット２は、歯車１６及び軸２４を駆動させて、歯車１６の不透明なゾーン８４が赤外線ビーム４０の下流方向８２と位置合わせされている位置とは異なる秒針の一定の基準位置に到達させる、次の所定のステップを行なう。
【００１７】
次のステップでは、歯車１８は分軸２６を回転させるためにステップモータ１０によって駆動される。歯車１８は、赤外線送信機３２によって伝送された赤外線ビーム４０が歯車１８内に設けられた不透明なゾーン８６によって遮光されるまで回転され、かくして、赤外線受信機３４による赤外線ビーム４０の受光を妨げる。この時には、マイクロコントローラユニット２は歯車１８、したがって軸２６及びそれと関連した分針の絶対位置を判断するのに適格である。次に、マイクロコントローラユニット２は、歯車１８及び軸２６を駆動させて、歯車１８の不透明なゾーン８６が赤外線ビーム４０の下流方向８２と位置合わせされている位置とは異なる分針の一定の基準位置に到達させる、次の所定のステップを行なう。
【００１８】
上述の作業体系は、時軸、アラーム軸、及び関連した針についても同様である。時針及びアラーム針をそれらの基準位置に設定した後に、最後のステップにおいて、受信された無線時間信号に従ってすべての針が所定位置に移動され、時間調整処理が完了する。したがって、マイクロコントローラユニット２が基準位置から受信された時間信号に従った位置に移動する秒針及び秒軸２４の各回転に対応する多数のパルス信号を生成した後に、秒軸２４は、その歯車１６及びステップモータ８によって駆動される。この時間設定処理は、分軸２６、時軸２８、アラーム軸３０及びそれぞれの針について繰り返されるか、又は秒針の設定と同時に実行されるかのいずれかである。
【図面の簡単な説明】
【００１９】
【図１】無線制御可能な時計の回路設計を示す概略図である。
【図２】本発明による実施の形態の分解図である。
【図１】
2005529314.tif 000003
【図２】
2005529314.tif 000004
【手続補正書】
【提出日】平成16年4月29日(2004.4.29)
【手続補正１】
【補正対象書類名】特許請求の範囲
【補正対象項目名】請求項１
【補正方法】変更
【補正の内容】
【請求項１】
各々が歯車（１６、１８、２０）と関連した少なくとも２つの針を有するアナログ表示と、
前記歯車（１６、１８、２０）の角位置に関してビーム路（８２）を妨げるための手段によって各針の位置を検出するための単一の受光素子（３４）によって受光された光線（４０）を伝送するための光学手段と、
受信された無線時間又はリセット信号に従って前記針の位置を調節するための各歯車（１６、１８、２０）用の駆動ユニット（８、１０、１２、１４）と、
前記駆動ユニット（８、１０、１２）を制御するためのマイクロコントローラユニット（２）とを備える、無線制御可能な時計であって、
駆動ユニット（１４）によって駆動される歯車（２２）と関連したアラーム針が設けられ、前記アラーム針の位置が前記歯車（２２）の角位置に関して前記ビーム路（８２）を妨げるための手段によってアラーム針の位置が光学手段によって検出されることを特徴とする、無線制御可能な時計。
【国際調査報告】
2005529314.tif 000005
2005529314.tif 000006